(57)【特許請求の範囲】
【請求項１】
操作者を特定するための操作手段と、操作者の暗証番号を入力するための暗証番号入力手段と、前記操作手段で読み取られる情報に対応する情報を記憶するための第１の記憶部と、正当な操作者の暗証番号を記憶するための第２の記憶部と、前記第２の記憶部に記憶された暗証番号の有効期間を記憶するための第３の記憶部と、操作者に対して警告メッセージを出力する報知部と、前記報知部より警告メッセージが出力されたことを記憶する第４の記憶部と、操作者による暗証番号の変更を希望する期間を記憶するための第５の記憶部と、暗証番号変更モードに切替えるためのモード設定手段と、制御部とを有する個人識別装置において、
前記制御部は、前記操作手段で読み取った情報と暗証番号とに基づいて正当な操作者を判定するための手段と、前記操作手段または前記暗証番号入力手段の操作時点と操作者の暗証番号の有効期間とを比較する手段と、前記操作手段または前記暗証番号入力手段の操作時点と操作者による暗証番号の変更を希望する期間とを比較する手段と、前記操作手段または前記暗証番号入力手段の操作時点が操作者による暗証番号の変更を希望する期間内にあると判定された場合に操作者に対して前記報知部より警告メッセージを出力する手段とを有し、
前記操作手段または前記暗証番号入力手段の操作時点に操作者の暗証番号の有効期間が過ぎていると判定され、かつ、以前に操作者に対して警告メッセージが出力されていると判定された場合には、操作者による前記モード設定手段の操作を無効とすることを特徴とする個人識別装置。
【発明の詳細な説明】
【０００１】
【発明の属する技術分野】
本発明は、出入管理システム等に適用される暗証番号を用いた個人識別装置に関し、特に操作者に対して所定期間毎に暗証番号の変更を要求する個人識別装置に関する。
【０００２】
【従来の技術】
従来、通行者の重要エリアへの入退出を管理するために、個人識別装置が使用されている。個人識別装置としては、例えば、カード（磁気カード、ＩＣカード、非接触カード等）、テンキー、指紋、声紋、掌形、虹彩、ホログラム、顔画像等を用いたものがある。この中でも特に、利便性、経済性の面からカードまたはテンキーが用いられる場合が多い。また、セキュリティ性を強化するために、これらを組み合わせて使用することもある。
【０００３】
ところで、個人識別装置にカードを用いた場合、操作時にカード情報を盗み見られるというような問題はないが、カードを紛失した場合にそのカードを拾った人であれば誰でも入退出できるという問題がある。特に磁気カードを使用する場合、カードの複製が容易にできるため安全性にも問題がある。
【０００４】
また、個人識別装置にテンキーを用いた場合、通行人はテンキーを入力する暗証番号を記憶するだけで、何も所持しなくてもよいという利点があるが、暗証番号を通行人以外の第三者に知られてしまった場合に、暗証番号を知った者であれば誰でも入退出できてしまうという問題がある。また、安全性を考慮して、テンキーに用いる暗証番号を定期的に変更するものがあるが、変更した暗証番号を通行者全員に伝えなければならず、非常に手続きが複雑になってしまうという問題もある。そこで、一人一人に異なる暗証番号を付与して個人毎に暗証番号を管理するということが考えられる。しかし、この場合、通行人が増加すると暗証番号の数もそれに伴い増加するため、でたらめに入力しても照合できてしまう確率が増すという問題があった。
【０００５】
そこで、個人識別装置にテンキーとカードを組み合わせてセキュリティ性を強化する方法がある。このようにすれば、テンキー、カードを単独で使用する場合に比べて第三者が不正に入退出する確率をより低減することができる。また、カードで個人が識別できるのでテンキーの暗証番号を個人毎に付与することも可能となる。しかし、重要エリアへの入退出を管理する場合には、さらに安全性を考慮して、テンキーに用いられる暗証番号を定期的に変更するのが望ましい。
【０００６】
【発明が解決しようとする課題】
しかしながら、暗証番号の変更は、一般に通行人である操作者の意思に任されているため、暗証番号を長期間変更しない操作者が多く、安全性に欠けるという問題があった。
【０００７】
また、テンキーと指紋、声紋、掌形、虹彩、顔画像等のバイオメトリクス情報との組み合わせによって個人の識別をする方法もある。バイオメトリクスは個人唯一の情報であって複製や盗難という問題はなく、その情報だけで高いセキュリティ性を確保することができる。ところが、バイオメトリクス情報による個人識別は非常に複雑な処理を要するため、認識の精度やスピードを上げるためにはコストがかかるという問題がある。そこで、精度やスピードをある程度落してコストを削減する代りにテンキーと組み合わせ、経済性を確保しつつセキュリティ性を上げるという試みがある。この場合も、前述したカードとテンキーの組み合わせと同様に該テンキーの暗証番号は定期的に変更するのが望ましい。
【０００８】
また、前述した個人識別装置を警備状態の切り換えに用いた場合も同様の問題が発生する。
【０００９】
本発明は、以上の問題点に鑑みなされたもので、操作者に対して一定期間毎に暗証番号の変更を要求できる個人識別装置を提供することを目的とする。
【００１０】
【課題を解決するための手段】
請求項１に記載の発明は、操作者を特定するための操作手段と、操作者の暗証番号を入力するための暗証番号入力手段と、前記操作手段で読み取られる情報に対応する情報を記憶するための第１の記憶部と、正当な操作者の暗証番号を記憶するための第２の記憶部と、前記第２の記憶部に記憶された暗証番号の有効期間を記憶するための第３の記憶部と、操作者に対して警告メッセージを出力する報知部と、前記報知部より警告メッセージが出力されたことを記憶する第４の記憶部と、操作者による暗証番号の変更を希望する期間を記憶するための第５の記憶部と、暗証番号変更モードに切替えるためのモード設定手段と、制御部とを有する個人識別装置において、
前記制御部は、前記操作手段で読み取った情報と暗証番号とに基づいて正当な操作者を判定するための手段と、前記操作手段または前記暗証番号入力手段の操作時点と操作者の暗証番号の有効期間とを比較する手段と、前記操作手段または前記暗証番号入力手段の操作時点と操作者による暗証番号の変更を希望する期間とを比較する手段と、前記操作手段または前記暗証番号入力手段の操作時点が操作者による暗証番号の変更を希望する期間内にあると判定された場合に操作者に対して前記報知部より警告メッセージを出力する手段とを有し、
前記操作手段または前記暗証番号入力手段の操作時点に操作者の暗証番号の有効期間が過ぎていると判定され、かつ、以前に操作者に対して警告メッセージが出力されていると判定された場合には、操作者による前記モード設定手段の操作を無効とすることを特徴とするものである。
【００１１】
これにより、操作者に暗証番号の変更を意識させることができるとともに、暗証番号の有効期間が切れている場合には重要エリアへの出入を拒否できる。
【００１６】
【発明の実施の形態】
以下、本発明の実施の形態について図面を用いて詳細に説明する。
【００１７】
図１は本発明の個人識別装置を重要エリアへの出入管理システムに適用した場合の全体概要図であり、個人識別装置１０と電気錠２０によって構成されている。図２は、図１で示した個人識別装置１０の内部構成図であり、個人識別装置１０は操作手段１０１、暗証番号入力手段としてのテンキー１０２、第１の記憶部１０３、第２の記憶部１０４、第３の記憶部１０５、報知部１０６、モード設定手段１０７、制御部１０８、第４の記憶部１０９、第５の記憶部１１０によって構成されている。
【００１８】
操作手段１０１は、カード（磁気カード、ＩＣカード、非接触カード等）、指紋、声紋、掌形、虹彩、ホログラム、顔画像等を認識して操作者を特定するものであり、本実施の形態では、操作手段１０１にカードリーダを用いた場合について説明する。操作手段１０１としてのカードリーダに、操作者がカードを入力すると、カードリーダは入力されたカードのカード情報を読み取り、読み取ったカード情報を制御部１０８に出力する。
【００１９】
暗証番号入力手段としてのテンキー１０２は、暗証番号（数字）を入力するための手段であり、操作者が自己の暗証番号をテンキー１０２を使って入力すると、入力された暗証番号を制御部１０８に出力する。なお、テンキー１０２は押釦形式を用いてもよいし、液晶タッチパネルを用いてもよい。
【００２０】
第１の記憶部１０３は、操作手段１０１であるカードリーダで読み取られるカード情報に対応する情報を記憶するための記憶部であり、正当な操作者が所有するカードのカード情報が予め記憶されている。
【００２１】
第２の記憶部１０４には、正当な操作者の暗証番号が予め記憶されている。
【００２２】
第３の記憶部１０５には、第２の記憶部に記憶された暗証番号の有効期間を記憶するための記憶部であり、暗証番号が使用可能な有効期間を操作者毎に記憶している。この有効期間は、個人識別装置１０の管理者が任意に決定できる期間であり、例えば、暗証番号の発行日から１月、２月、半年など安全性を考慮してその期間を定めることができる。
【００２３】
報知部１０６は、ＬＥＤ等の発光手段、スピーカ等の発音手段、ディスプレイ等の視覚手段等で構成され、制御部１０８より起動信号が入力されると、操作者に対してメッセージを出力する。
【００２４】
モード設定手段１０７は、制御部１０８を暗証番号変更モードに切り替えるための手段であり、操作者によりモード設定手段１０７が操作されると、モード設定手段１０７は、制御部１０８に選択信号を出力し、選択信号を受け取った制御部１０８は暗証番号変更モードに切り替わる。また、モード設定手段１０７は、制御部１０８が操作者の暗証番号が有効期間内でないと判定した場合に自動的に選択信号を出力するようにしてもよい。
【００２５】
なお、モード設定手段１０７は押釦形式を用いてもよいし、液晶タッチパネルを用いてもよい。本実施の形態では、図示しないディスプレイに表示されている。
【００２６】
第４の記憶部１０９は、報知部１０６より操作者に対して警告メッセージを出力したことを記憶するための記憶部である。
【００２７】
第５の記憶部１１０は、操作者による暗証番号の変更を希望する期間を記憶するための記憶部である。
【００２８】
制御部１０８は、図２に示す如く、操作手段１０１、テンキー１０２、第１の記憶部１０３、第２の記憶部１０４、第３の記憶部１０５、報知部１０６、モード設定手段１０７、第４の記憶部１０９、第５の記憶部１１０にそれぞれ接続され、それらを制御するための制御部である。
【００２９】
次に、カード情報と暗証番号とに基づいて正当な操作者を判定するための処理概要を説明する。制御部１０８は、操作手段１０１としてのカードリーダより操作者のカード情報を受け取ると、受け取ったカード情報に対応するカード情報を第１の記憶部１０３から呼出して、操作者のカードが正当か否か照合を行う。その結果、両者が一致した場合には、操作者のカードが正当なものであると判定し、テンキー１０２より操作者の暗証番号の入力を受け付ける。そして、操作者がテンキー１０２で暗証番号を入力すると、テンキー１０２は入力された暗証番号を制御部１０８に出力する。制御部１０８は、カード情報より所有者を特定して該当する暗証番号を第２の記憶部１０４から呼出し、テンキー１０２から受け取った暗証番号と第２の記憶部から呼出した暗証番号が一致するか否か照合を行う。その結果、両者が一致した場合には、操作者の暗証番号が正当であると判定する。
【００３０】
なお、制御部１０８は、カード情報と暗証番号との正当性を判定して操作者を特定したが、カード情報の正当性のみを判定して操作者を特定するようにしてもよい。
【００３１】
次に、操作者の暗証番号が有効期間内であるか否かを判定するための処理概要を説明する。制御部１０８は、正当な操作者の暗証番号に対応する暗証番号の有効期間を第３の記憶部１０５から呼出して、操作者の暗証番号が有効期間内のものであるか否か確認を行う。その結果、制御部１０８は、操作者の暗証番号が有効期間を過ぎていると判定した場合には、報知部１０６に起動信号を出力し、報知部１０６より操作者に対して暗証番号変更メッセージを出力する。
【００３２】
次に、操作者の暗証番号が暗証番号の変更を希望する期間内にあると判定された場合の処理概要を説明する。
【００３３】
ここで、暗証番号の変更を希望する期間とは、管理者が任意に設定できる期間をいい、以下、これを暗証番号変更希望期間という。管理者が暗証番号変更希望期間を２週間と設定すれば、暗証番号の有効期間の末日から数えて２週間前の日以降に操作者により個人識別装置１０が操作された場合には、制御部１０８により暗証番号変更希望期間内の操作であると判定され、操作者に対して、もうすぐ暗証番号の有効期間が切れることを警告メッセージとして報知部１０６より知らせることができる。暗証番号が有効期間の末日から数えて２週間前より前の日に操作者により個人識別装置１０が操作された場合には、制御部１０８により暗証番号変更希望期間外の操作であると判定される。
【００３４】
なお、暗証番号変更希望期間は、第５の記憶部１１０に記憶されている。
【００３５】
制御部１０８が操作者の暗証番号が暗証番号変更希望期間内のものであると判定した場合には、制御部１０８は警告メッセージを出力した操作者を特定して、第４の記憶部１０９に警告内容を出力し、第４の記憶部１０９は、受け取った警告内容を記憶する。
【００３６】
この場合、記憶内容としては、警告の有無のみ、警告日、警告回数等が考えられる。警告回数等を記憶しておくことより、警告メッセージを何度も受けている通行人に対して、別途注意を促すこともできる。
【００３７】
次に、操作者の暗証番号の有効期間が過ぎていると判定され、かつ、以前に操作者に対して警告メッセージが出力されていると判定された場合の処理概要を説明すれば、制御部１０８は、暗証番号が有効期間内のものでないと判定したことを前提として、操作者が以前に警告メッセージの表示を受けているか否か判定を行うため、第４の記憶部１０９に警告内容の出力要求を行う。
【００３８】
第４の記憶部１０９は、制御部１０８の出力要求に応じて該当する操作者の暗証番号が設定されていれば制御部１０８に警告内容の出力を行う。一方、該当する操作者の暗証番号が設定されてない場合には、警告内容が設定されていない旨を出力する。
【００３９】
制御部１０８は、第４の記憶部１０９より出力を受け取ると、操作者が以前に警告メッセージを受けているか否か判定する。その結果、制御部１０８は、操作者が以前に警告メッセージを受けていると判定した場合には、報知部１０６よりエラーメッセージを出力する。
【００４０】
次に、操作者が暗証番号を変更する場合の概要を説明すると、制御部１０８は、カード情報より所有者を特定して該当する暗証番号を第２の記憶部１０４から呼出し、テンキー１０２から受け取った暗証番号と第２の記憶部から呼出した暗証番号が一致するか否か照合を行う。
【００４１】
その結果、制御部１０８は、両者が一致すると判定したならば、新暗証番号の入力を受け付ける。そして、操作者はテンキー１０２を使って新暗証番号を入力し、テンキー１０２は、入力された新暗証番号を制御部１０８に出力する。制御部１０８は、新暗証番号を受け取ると第２の記憶部１０４に設定されている暗証番号を新暗証番号に書き換える。
【００４２】
なお、新暗証番号は確認のため、２回入力するようにしてもよい。また、制御部１０８は、操作者が入力した新暗証番号が第２の記憶部１０４に設定されている暗証番号と同一と判定した場合には、入力された暗証番号を受け付けないようにしてもよい。
【００４３】
次に、本願発明の個人識別装置を用いた出入管理システムの制御部１０８の動作を図３から図６を用いて説明する。
【００４４】
図３は、制御部が暗証番号の有効期間が過ぎていると判定した場合に報知部よりメッセージを出力する実施例１の動作を示すフローチャートであり、図４、図５は、制御部が暗証番号の有効期間が過ぎていると判定した場合に、自動的に暗証番号変更モードに切り替える実施例２の動作を示したフローチャートであり、図６は、制御部により暗証番号の有効期間が過ぎていると判定され、かつ、操作者に対して以前に警告メッセージが出力されていると判定された場合に、操作者によるモード設定手段の操作を無効とする実施例３の動作を示すフローチャートである。
［実施例１］
図３において、操作者は自己が所有するカードを操作手段１０１であるカードリーダに入れると、カードリーダは操作者のカードからカード情報を読み取り、制御部１０８に操作者のカード情報を出力する。
【００４５】
ステップ１において、制御部１０８は、操作手段１０１であるカードリーダから操作者のカード情報を受け取り、ステップ２に進む。ステップ２において、制御部１０８は、受け取ったカード情報に該当するカード情報を第１の記憶部１０３から呼出し、両者が一致するか否か照合を行う。その結果、両者が一致しない場合には、操作者のカードが正当なものでないと判定し、ステップ７において、報知部１０６よりエラーメッセージを出力する。一方、両者が一致した場合には、操作者のカードは正当なものであると判定し、テンキー１０２により操作者の暗証番号の入力を受け付ける。操作者は、テンキー１０２を使って暗証番号を入力し、テンキー１０２は入力された暗証番号を制御部１０８に出力する。
【００４６】
ステップ３において、制御部１０８は、カード情報より操作者を特定して該当する暗証番号を第２の記憶部１０４から呼出し、テンキー１０２から受け取った暗証番号と第２の記憶部１０４から呼出した暗証番号が一致するか否か照合を行う。その結果、制御部１０８は、両者が一致しない場合には、操作者の暗証番号が正当なものでないと判定し、ステップ７において、報知部１０６よりエラーメッセージを出力し、両者が一致した場合には、操作者の暗証番号が正当なものであると判定し、ステップ４において、正当な操作者の暗証番号に対応する暗証番号の有効期間を第３の記憶部１０５から呼出し、操作者の暗証番号が有効期間内のものか否か確認を行う。
【００４７】
その結果、制御部１０８は、暗証番号の有効期間が過ぎていると判定した場合には、ステップ５において、制御部１０８は報知部１０６に起動信号を出力し、起動信号を受けた報知部１０６は操作者に対して暗証番号変更メッセージを出力する。例えば、「暗証番号を変更してください」等のメッセージを出力する。
【００４８】
ここで、操作者が暗証番号の変更を希望する場合には、所定の操作を行うことにより暗証番号を変更することができる。
【００４９】
また、ステップ４において、操作者の暗証番号が有効期間内のものあると判定された場合、または、ステップ５において、メッセージが出力された場合には、ステップ６において、解錠信号Ｓが出力され（図２参照）、電子錠２０が解錠されて、操作者の出入が許可される。この場合、操作者が暗証番号を変更しなくても、ステップ６において、解錠信号Ｓが出力され、操作者の出入が許可される。
【００５０】
なお、本実施例ではテンキーによる暗証番号により操作者を特定し、該暗証番号の有効期間を判定したが、カード情報で操作者の暗証番号有効期間を判定するようにしても良い。
【００５１】
また、本実施例では、カード操作後に暗証番号を入力して操作者を特定するものであるが、逆の操作手順で操作者を特定しても良い。
［実施例２］
（動作例１）
次に、制御部１０８が暗証番号の有効期間が過ぎていると判定した場合に、自動的に暗証番号変更モードに切り替える動作１について図４のフローチャートを用いて説明する。
【００５２】
操作者は自己が所有するカードを操作手段１０１であるカードリーダに入れると、カードリーダは操作者のカードからカード情報を読み取り、制御部１０８に操作者のカード情報を出力する。ステップ１１において、制御部１０８は、操作手段１０１から操作者のカード情報を受け取り、ステップ１２に進む。
【００５３】
ステップ１２において、制御部１０８は、受け取ったカード情報に対応するカード情報を第１の記憶部１０３から呼出し、操作者のカードが正当なものか否か照合を行う。その結果、両者が一致しない場合には、カードが正当なものでないと判定し、ステップ２１において、報知部１０６よりエラーメッセージを出力する。一方、制御部１０８は、両者が一致した場合には、カードが正当なものであると判定し、ステップ１３において、カード情報よりカード所有者を特定し、第３の記憶部より暗証番号の有効期間を呼出して、操作者の暗証番号が有効期間内のものか確認を行う。その結果、制御部１０８は操作者の暗証番号が有効期間内のものと判定した場合には、テンキー１０２により操作者の暗証番号の入力を受け付ける。
【００５４】
操作者はテンキー１０２を使って自己の暗証番号を入力し、テンキー１０２は入力された暗証番号を制御部１０８に出力する。ステップ１４において、制御部１０８は、カード情報より所有者を特定して該当する暗証番号を第２の記憶部１０４から呼出し、テンキー１０２から受け取った暗証番号と第２の記憶部から呼出した暗証番号が一致するか否か照合を行う。
【００５５】
その結果、両者が一致する場合には、入力された暗証番号が正当なものであると判定し、ステップ１５において、電子錠２０に解錠信号Ｓを出力し、出入が許可される。一方、両者が一致しない場合には、入力された暗証番号が正当でないと判定し、ステップ２１において、報知部１０６よりエラーメッセージが出力される。
【００５６】
次に、ステップ１３において、制御部１０８が操作者の所有するカードの暗証番号の有効期間が過ぎていた場合の動作について説明する。
【００５７】
ステップ１３において、暗証番号が有効期間内のものでないと判定されると、モード設定手段１７は、制御部１０８に選択信号を出力する。ステップ１６において、制御部１０８は、モード設定手段１７より選択信号を受け取ると、暗証番号変更モードに移行する。暗証番号変更モードに移行すると、図示しないディスプレイの表示を暗証番号変更画面に切り替える。すなわち、ステップ１３において、制御部１０８は、操作者の暗証番号が有効期間内のものでないと判定した場合には、操作者はモード設定手段の操作を全く行うことなく、自動的に暗証番号変更モードに切り替わる。
【００５８】
このため、操作者に対して強制的に暗証番号を変更させることができる。
【００５９】
次に、暗証番号の変更についての動作を説明する。
【００６０】
制御部１０８は、操作者に対して暗証番号の入力を要求する。操作者はテンキー１０２を使って現在使用している現暗証番号を入力する。テンキー１０２は、現暗証番号の入力を受けつけると入力された現暗証番号を制御部１０８に出力する。
【００６１】
ステップ１７において、制御部１０８は、カード情報より所有者を特定して該当する暗証番号を第２の記憶部１０４から呼出し、テンキー１０２から受け取った現暗証番号と第２の記憶部から呼出した暗証番号が一致するか否か照合を行う。その結果、両者が一致しない場合には、操作者より入力された暗証番号が正当なものでないと判定し、ステップ２１において、報知部１０９よりエラーメッセージを出力する。一方、両者が一致した場合には、操作者が入力した現暗証番号が正当なものであると判定し、操作者による新暗証番号の入力を受け付ける。
【００６２】
操作者がテンキー１０２を使って新暗証番号を入力すると、テンキー１０２は入力された暗証番号を制御部１０８に出力する。ステップ１８において、制御部１０８は新暗証番号を受け取ると、ステップ１９において、第２の記憶部１０４に設定されている現暗証番号を新暗証番号に書き換える。
【００６３】
さらに、ステップ２０において、第３の記憶部１０５に設定されている暗証番号の有効期間を更新する。そして、ステップ１５において、電子錠２０に解錠信号Ｓを出力し、出入が許可される。
（動作例２）
次に、制御部１０８が暗証番号の有効期間が過ぎていると判定した場合に、自動的に暗証番号変更モードに切り替える動作２について図５のフローチャートを用いて説明する。
【００６４】
操作者は自己が所有するカードを操作手段１０１であるカードリーダに入れると、カードリーダは操作者のカードからカード情報を読み取り、制御部１０８に操作者のカード情報を出力する。ステップ１０１において、制御部１０８は、操作手段１０１から操作者のカード情報を受け取り、ステップ１０２に進む。
【００６５】
ステップ１０２において、制御部１０８は、受け取ったカード情報に対応するカード情報を第１の記憶部１０３から呼出し、操作者のカードが正当なものか否か照合を行う。その結果、両者が一致しない場合には、カードが正当なものでないと判定し、ステップ２０１において、報知部１０６よりエラーメッセージを出力する。一方、制御部１０８は、両者が一致した場合には、カードが正当なものであると判定し、テンキー１０２により操作者の暗証番号の入力を受け付ける。操作者は、テンキー１０２を使って暗証番号を入力し、テンキー１０２は入力された暗証番号を制御部１０８に出力する。
【００６６】
ステップ１０３において、制御部１０８は、カード情報により操作者を特定して該当する暗証番号を第２の記憶部１０４から呼出し、テンキー１０２から受け取った暗証番号と第２の記憶部１０４から呼出した暗証番号が一致するか否か照合を行う。その結果、制御部１０８は、両者が一致しない場合には、操作者の暗証番号が正当なものではないと判断し、両者が一致した場合には、操作者の暗証番号が正当なものであると判定し、ステップ１０４において、正当な操作者の暗証番号に対応する暗証番号の有効期間を第３の記憶部１０５から呼出し、操作者の暗証番号が有効期間内のものか否か確認を行う。
【００６７】
その結果、暗証番号の有効期間が過ぎていると判定された場合には、モード設定手段１０７は、制御部１０８に選択信号を出力する。ステップ１０６において、制御部１０８は、モード設定手段１０７より選択信号を受け取ると、暗証番号変更モードに移行する。暗証番号変更モードに移行すると、図示しないディスプレイの表示を暗証番号変更画面に切り替える。すなわち、ステップ１０４において、制御部１０８は、操作者の暗証番号が有効期間内のものでないと判定した場合には、操作者はモード設定手段の操作を全く行うことなく、自動的に暗証番号変更モードに切り替わる。
【００６８】
このため、操作者に対して強制的に暗証番号を変更させることができる。
【００６９】
次に、暗証番号の変更についての動作を説明する。
【００７０】
制御部１０８は、操作者に対して新暗証番号の入力を要求する。操作者がテンキー１０２を使って新暗証番号を入力すると、テンキー１０２は入力された暗証番号を制御部１０８に出力する。ステップ１０７において、制御部１０８は新暗証番号を受け取ると、ステップ１０８において、第２の記憶部１０４に設定されている現暗証番号を新暗証番号に書き換える。
【００７１】
さらに、ステップ１０９において、第３の記憶部１０５に設定されている暗証番号の有効期間を更新する。そして、ステップ１０５において、電子錠２０に解錠信号Ｓを出力し、出入が許可される。
【００７２】
なお、本実施例の動作１、動作２ともに、カード操作後に暗証番号を入力して操作者を特定するものであるが、逆の操作手順で操作者を特定しても良い。
［実施例３］
次に、制御部により暗証番号の有効期間が過ぎていると判定され、かつ、操作者に対して警告メッセージが出力されていると判定された場合には、操作者によるモード設定手段の操作を無効とする動作を図６のフローチャートを用いて説明する。
【００７３】
操作者は、自己が所有するカードを操作手段１０１であるカードリーダに入れると、カードリーダは、操作者のカードからカード情報を読み取り、制御部１０８に操作者のカード情報を出力する。ステップ２１において、制御部１０８は、カードリーダからカード情報を受け取り、ステップ２２に進む。
【００７４】
ステップ２２において、制御部１０８は、受け取ったカード情報に対応するカード情報を第１の記憶部１０３から呼出し、操作者のカードが正当なものか否か照合を行う。その結果、両者が一致しない場合には、操作者のカードが正当なものでないと判定し、ステップ３６において、報知部１０６よりエラーメッセージを出力する。一方、両者が一致した場合には、操作者のカードが正当なものであると判定し、ステップ２３において、制御部１０８は操作者のカード情報よりカード所有者を特定して、第３の記憶部より暗証番号の有効期間を呼出し、操作者の暗証番号が有効期間内のものであるか確認を行う。
【００７５】
その結果、操作者の暗証番号が有効期間内のものであると判断した場合には、次のステップ２４に進んで、操作者の暗証番号が暗証番号変更希望期間内のものであるか判定を行う。判定の結果、制御部１０８は、操作者の暗証番号が暗証番号変更希望期間内のものであると判定した場合には、ステップ２５において、報知部１０６より操作者に対して警告メッセージを出力する。
【００７６】
次に、ステップ２６において、警告メッセージを受けた操作者が暗証番号の変更を希望する場合には、ディスプレイに表示されているモード設定手段１０７を操作して、暗証番号変更モードへの変更を選択すると、モード設定手段１０７は、制御部１０８に選択信号を出力し、暗証番号変更モードへ移行する。ステップ２６において、操作者によりモード設定手段１０７が操作されなかった場合には、ステップ２７に進む。
【００７７】
ステップ２７において、制御部１０８は、操作者を特定して、第４の記憶部１０９に警告内容を出力し、第４の記憶部１０９は、制御部１０８から受け取った警告内容を記憶する。
【００７８】
ステップ２４において、暗証番号が暗証番号変更希望期間外であると判定された場合、または、ステップ２７において、第４の記憶部に警告内容が記憶された場合には、操作者による暗証番号の入力を受け付ける。そして、操作者がテンキー１０２で暗証番号を入力すると、テンキー１０２は入力された暗証番号を制御部１０８に出力する。
【００７９】
ステップ２８において、制御部１０８は、カード情報より所有者を特定して該当する暗証番号を第２の記憶部１０４から呼出し、テンキー１０２から受け取った暗証番号と第２の記憶部から呼出した暗証番号が一致するか否か照合を行う。その結果、両者が一致した場合には、操作者の暗証番号は正当なものであると判定し、ステップ２９において、電子錠２０に解錠信号Ｓを出力し、操作者の出入が許可される。一方、両者が一致しないと判断した場合には、操作者の暗証番号は正当なものでないと判定し、ステップ３６において、報知部１０６よりエラーメッセージが出力される。
【００８０】
次に、ステップ２３で操作者の暗証番号の有効期間が過ぎていた場合の動作について説明する。ステップ２３において、制御部１０８は、暗証番号が有効期間内のものでないと判定した場合には、操作者が以前に警告メッセージの表示を受けているか否か判定を行うため、第４の記憶部１０９に警告内容の出力要求を行う。第４の記憶部１０９は、制御部１０８の出力要求に応じて該当する操作者の暗証番号が設定されていれば制御部１０８に警告内容の出力を行う。一方、該当する操作者の暗証番号が設定されてない場合には、制御部１０８に警告内容が設定されていない旨を出力する。
【００８１】
ステップ３０において、制御部１０８は、第４の記憶部１０９より出力を受け取ると、操作者が以前に警告メッセージを受けているか否か判定を行う。その結果、制御部１０８は、操作者が以前に警告メッセージを受けていると判定した場合には、ステップ３６において、報知部１０６よりエラーメッセージを出力する。このため、以前に警告メッセージを受けた操作者は、暗証番号変更希望期間内に自己の暗証番号を変更しなかったため、暗証番号を変更するための操作を行うことができず、重要エリアに出入することができなくなる。
【００８２】
ステップ３０において、操作者が以前に警告を受けていないと判定され、かつ暗証番号の変更を希望する場合、または、ステップ２６において、暗証番号の変更を希望する場合には、操作者はディスプレイに表示されているモード設定手段１０７を操作して、暗証番号変更モードへの変更を選択する。操作者により暗証番号変更モードへの変更が選択されると、モード設定手段１０７は、制御部１０８に選択信号を出力し、ステップ３１において、制御部１０８は選択信号を受け、暗証番号変更モードに移行する。
【００８３】
また、ステップ３２〜３５での暗証番号変更の動作については、図４のステップ１７〜２０と同様であるため説明を省略する。
【００８４】
なお、本実施例では、カード操作後に暗証番号を入力して操作者を特定するものであるが、逆の操作手順で操作者を特定しても良い。
【００８５】
以上本発明の好ましい実施の形態について詳述したが、本発明は係る特定の実施形態に限定されるものではなく、特許請求の範囲に記載された本発明の要旨の範囲内において、種々の変形・変更が可能である。例えば、本発明の個人識別装置は警備状態の切り換えに用いることもできる。
【００８６】
【発明の効果】
上述の如く、請求項１に記載の発明は、個人識別装置の制御部が操作手段で読み取った情報と暗証番号とに基づいて正当な操作者を判定するための手段と、操作手段または暗証番号入力手段の操作時点と操作者の暗証番号の有効期間とを比較する手段と、操作手段または暗証番号入力手段の操作時点と操作者による暗証番号の変更を希望する期間とを比較する手段と、操作手段または暗証番号入力手段の操作時点が操作者による暗証番号の変更を希望する期間内にあると判定された場合に操作者に対して報知部より警告メッセージを出力する手段とを有し、操作手段または暗証番号入力手段の操作時点に操作者の暗証番号の有効期間が過ぎていると判定され、かつ、以前に操作者に対して警告メッセージが出力されていると判定された場合には、操作者によるモード設定手段の操作を無効とするので、操作者に暗証番号の変更を意識させることができるとともに、暗証番号の有効期間が切れている場合には重要エリアへの出入を拒否でき、安全な個人識別装置を提供することができる。
【図面の簡単な説明】
【図１】本発明を出入管理システムに適用した場合の全体構成図である。
【図２】本発明の個人識別装置の内部構成図である。
【図３】第１実施例における制御部の処理を示したフローチャートである。
【図４】第２実施例における制御部の処理を示したフローチャートである。
【図５】第２実施例における制御部の処理を示したフローチャートである。
【図６】第３実施例における制御部の処理を示したフローチャートである。
【符号の説明】
１０  個人識別装置
２０  電気錠
１０１  操作手段
１０２  テンキー
１０３  第１の記憶部
１０４  第２の記憶部
１０５  第３の記憶部
１０６  報知部
１０７  モード設定手段
１０８  制御部
１０９  第４の記憶部
１１０  第５の記憶部
【図１】
0004521116.tif 000002
【図２】
0004521116.tif 000003
【図３】
0004521116.tif 000004
【図４】
0004521116.tif 000005
【図５】
0004521116.tif 000006
【図６】
0004521116.tif 000007